(57)【要約】【課題】小型化を実現できるメディアドライブ装置を提供すること。【解決手段】メディアドライブ装置のケース１０は、本体１１と、この本体１１にスライド可能に接続された可動体１２とを有する。これにより、メディアドライブ装置の小型化を実現できる。フロントパネル５７にはヒンジ部５２が設けられ、このヒンジ部５２にストッパー５９が接続されている。ヒンジ部５２には、図示しないねじりコイルバネ等が取り付けられ、ストッパー５９は図７の状態から図６の状態になる回転方向に（開く方向に）付勢されるように、弾性的に設けられている。ストッパー５９が開いた状態にある時、ケース１０の可動体１２は、そのストッパー５９に当接することで、縮小位置へ向かう動きが規制される。これにより、可動体１２が光ディスクに衝突することを防ぐことができ、光ディスクの安全性、あるいはメディアドライブ装置の操作上の安全性を確保することができる。【選択図】図６
2012164382.tif 000002
【特許請求の範囲】
【請求項１】
ディスクメディアを駆動するドライブユニットと、
本体と、ケースが拡大された状態における拡大位置及び縮小された状態における縮小位置の間で移動可能に前記本体に接続された可動体とを有し、前記ドライブユニットを収容するケースと、
前記拡大位置にある前記可動体の動きをロックするロック機構と
を具備するメディアドライブ装置。
【請求項２】
請求項１に記載のメディアドライブ装置であって、
前記ケースは、前記可動体が前記縮小位置にある時に第１の開口面積となり、前記可動体が前記拡大位置にある時に第１の開口面積より大きい第２の開口面積となる開口を有し、
前記ドライブユニットは、前記ディスクメディアが載置され、前記ケースの開口を介して、前記ケースから引き出され及び前記ケースに挿入されることが可能に設けられたトレイを有し、
前記トレイは、前記ケースに挿入された時に前記ケースの前記開口を塞ぐパネルを有し、
前記ロック機構は、前記パネルの一部を構成する、前記可動体の前記縮小位置への移動を規制するストッパーを有し、前記開口が前記第１及び第２の開口面積となる両方の状態で前記パネルが前記開口を塞ぐように、前記ストッパーが開閉可能に前記トレイに支持されている
メディアドライブ装置。
【請求項３】
請求項２に記載のメディアドライブ装置であって、
前記ストッパーは、前記可動体が前記縮小位置から前記拡大位置へ移動する動作に連動して閉動作を行う
メディアドライブ装置。
【請求項４】
請求項３に記載のメディアドライブ装置であって、
前記ロック機構は、前記ストッパーに形成され前記トレイに係合するフック部と、前記開口を閉じる方向へ弾性的に前記ストッパーを付勢するヒンジ部とを有し、
前記ケースの前記可動体は、前記ストッパーに係合する係合部を有する
メディアドライブ装置。
【請求項５】
請求項１に記載のメディアドライブ装置であって、
前記ドライブユニットは、外部接続用端子を有し、
前記ケースの前記可動体は、前記可動体が前記縮小位置にある時に前記外部接続用端子を覆い、かつ、前記可動体が前記拡大位置にある時に前記外部接続用端子を露出させるカバー部を有する
メディアドライブ装置。
【請求項６】
請求項１に記載のメディアドライブ装置であって、
前記可動体は、前記ドライブユニットに保持された前記ディスクメディアの情報の記録面に平行な方向にスライド可能に、前記本体に接続されている
メディアドライブ装置。
【請求項７】
請求項１に記載のメディアドライブ装置であって、
前記可動体は、前記ドライブユニットに保持された前記ディスクメディアの情報の記録面に垂直な方向にスライド可能に、前記本体に接続されている
メディアドライブ装置。
【請求項８】
請求項１に記載のメディアドライブ装置であって、
前記可動体は、一軸を中心に回転可能に前記本体に接続されている
メディアドライブ装置。
【請求項９】
請求項１に記載のメディアドライブ装置であって、
前記ケース内に収容され、前記ディスクメディアとは異なる記憶メディアである固体メモリを搭載した固体メモリドライブユニットをさらに具備するメディアドライブ装置。
【発明の詳細な説明】
【技術分野】
【０００１】
本技術は、光ディスク等のメディアを駆動するメディアドライブ装置に関する。
【背景技術】
【０００２】
近年、コンピュータの小型化が目覚しく、いわゆるネットブックと呼ばれるモバイルコンピュータは、従来のモバイルコンピュータには内蔵されていた、ＤＶＤ（Digital Versatile Disc）等の光ディスクの記録または再生を行うドライブを内蔵していない。このような持ち運びを想定したコンピュータを使用するにあたり、そのコンピュータに接続して使用する、いわゆる外付けタイプのディスクドライブ等が必要になる場合がある。持ち運びを前提としたディスクドライブは、軽量化あるいは小型化が望まれる。
【０００３】
特許文献１の図１５〜１７に記載された光ディスクドライブはハウジングを有する。このハウジングは、コンパクトディスクの一部を保有するための空間を有する主ケースと、その主ケースから回転するように摺動して引き出される摺動カバーとを有する。摺動カバーは、主ケースの両側に設けられている。このようなハウジングによれば、光ディスクドライブの小型化を実現できる（例えば、特許文献１の明細書段落[００３３]参照）。
【先行技術文献】
【特許文献】
【０００４】
【特許文献１】特開２００６−２０９９４８号公報
【発明の概要】
【発明が解決しようとする課題】
【０００５】
今後も、携帯電話機なども含めたモバイル型のコンピュータの需要の増加が見込め、それに伴いメディアドライブ装置の小型化が望まれる。
【０００６】
以上のような事情に鑑み、本技術の目的は、小型化を実現できるメディアドライブ装置を提供することにある。
【課題を解決するための手段】
【０００７】
上記目的を達成するため、本技術に係るメディアドライブ装置は、ドライブユニットと、ケースと、ロック機構とを具備する。  
前記ドライブユニットは、ディスクメディアを駆動する。  
前記ケースは、前記ドライブユニットを収容する。また、ケースは、本体と、ケースが拡大された状態における拡大位置及び縮小された状態における縮小位置の間で移動可能に前記本体に接続された可動体とを有する。  
前記ロック機構は、前記拡大位置にある前記可動体の動きをロックする。
【０００８】
本技術では、ケースのサイズを変える可動体が本体に接続されているので、メディアドライブ装置の小型化を実現できる。また、例えばケース内のドライブユニットにディスクメディアが保持されている時であっても、ロック機構のロック作用により可動体がディスクメディアに衝突することを防ぐことができ、ディスクメディアの安全性、あるいはメディアドライブ装置の操作上の安全性を確保することができる。
【０００９】
前記ケースは、前記可動体が前記縮小位置にある時に第１の開口面積となり、前記可動体が前記拡大位置にある時に第１の開口面積より大きい第２の開口面積となる開口を有してもよい。その場合、前記ドライブユニットは、前記ディスクメディアが載置され、前記ケースの開口を介して、前記ケースから引き出され及び前記ケースに挿入されることが可能に設けられたトレイを有する。前記トレイは、前記ケースに挿入された時に前記ケースの前記開口を塞ぐパネルを有する。前記ロック機構は、前記パネルの一部を構成する、前記可動体の前記縮小位置への移動を規制するストッパーを有し、前記開口が前記第１及び第２の開口面積となる両方の状態で前記パネルが前記開口を塞ぐように、前記ストッパーが開閉可能に前記トレイに支持されている。ストッパーは、パネルの一部として構成され、ケースの開口の両方の状態に合わせて開閉が可能とされることにより、メディアドライブの軽量化及び小型化に寄与する。
【００１０】
前記ストッパーは、前記可動体が前記縮小位置から前記拡大位置へ移動する動作に連動して閉動作を行ってもよい。これにより、ユーザは、可動体を拡大位置に動かすだけで、ストッパーを容易にセットすることができる。
【００１１】
前記ロック機構は、前記ストッパーに形成され前記トレイに係合するフック部と、前記開口を閉じる方向へ弾性的に前記ストッパーを付勢するヒンジ部とを有してもよい。その場合、前記ケースの前記可動体は、前記ストッパーに係合する係合部を有する。このような構成により、可動体が拡大位置へ移動する時に、可動体の係合部がストッパーに係合することで、フック部のトレイへの係合を解除する。フック部による係合が解除されると、弾性体の力によりストッパーが開口を塞ぐ方向へ回転する。
【００１２】
前記ドライブユニットは、外部接続用端子を有してもよい。その場合、前記ケースの前記可動体は、前記可動体が前記縮小位置にある時に前記外部接続用端子を覆い、かつ、前記可動体が前記拡大位置にある時に前記外部接続用端子を露出させるカバー部を有する。
【００１３】
前記可動体は、前記ドライブユニットに保持された前記ディスクメディアの情報の記録面に平行な方向にスライド可能に、前記本体に接続されていてもよい。
【００１４】
あるいは、前記可動体は、前記ドライブユニットに保持された前記ディスクメディアの情報の記録面に垂直な方向にスライド可能に、前記本体に接続されていてもよい。
あるいは、前記可動体は、一軸を中心に回転可能に前記本体に接続されていてもよい。
【００１５】
前記メディアドライブ装置は、前記ケース内に収容され、前記ディスクメディアとは異なる記憶メディアである固体メモリを搭載した固体メモリドライブユニットをさらに具備してもよい。ユーザは、固体メモリドライブユニットを使用する時には、ケースを縮小させた状態とすることができる。
【発明の効果】
【００１６】
以上、本技術によれば、メディアドライブ装置の小型化を実現できる。
【図面の簡単な説明】
【００１７】
【図１】図１は、本技術の一実施形態に係るメディアドライブ装置を示す斜視図であり、そのメディアドライブ装置の前面側から見た図である。
【図２】図２は、このメディアドライブ装置の背面側から見た斜視図である。
【図３】図３は、このメディアドライブ装置の分解斜視図である。
【図４】図４Ａ〜Ｃは、可動体が本体から引き出されてケースが拡大された状態をそれぞれ示す、メディアドライブ装置の背面図、平面図及び前面図である。
【図５】図５Ａ〜Ｃは、可動体が本体に収容されてケースが縮小された状態をそれぞれ示す、メディアドライブ装置の背面図、平面図及び前面図である。
【図６】図６は、本体からトレイが引き出された状態にあるメディアドライブ装置を示す斜視図である。
【図７】図７は、ストッパーが内側へ折りたたまれた状態にあるメディアドライブ装置を示す斜視図である。
【図８】図８は、ストッパーが内側へ折りたたまれた状態にあるメディアドライブ装置を示す斜視図である。
【図９】図９は、ケースが縮小状態にあるメディアドライブ装置を示す斜視図である。
【図１０】図１０は、メディアドライブ装置の電気的な構成を示すブロック回路の図である。
【図１１】図１１Ａ及びＢは、バス電源供給端子にＵＳＢケーブルが接続された状態のメディアドライブ装置を示す、平面図及び背面図である。
【図１２】図１２Ａ及びＢは、バス電源供給端子及び交流電源供給端子にＵＳＢケーブル及び交流電源アダプタ（のケーブル）がそれぞれ接続された状態のメディアドライブ装置を示す、平面図及び背面図である。
【図１３】図１３は、本技術の第２の実施形態に係るメディアドライブ装置を示す平面図である。
【図１４】図１４は、図１３におけるＡ−Ａ線断面図である。
【図１５】図１５Ａ及びＢは、このメディアドライブ装置の動作を示す図である。
【図１６】図１６Ａ及びＢは、このメディアドライブ装置の動作を示す図である。
【図１７】図１７は、このメディアドライブ装置の動作を示す図である。
【図１８】図１８は、本技術の第３の実施形態に係るメディアドライブ装置を示す斜視図である。
【図１９】図１９は、この背面側から見たメディアドライブ装置の斜視図である。
【図２０】図２０は、メディアドライブ装置のケースが拡大した状態を示す、前面側から見た斜視図である。
【図２１】図２１は、メディアドライブ装置のケースが拡大した状態を示す、背面側から見た斜視図である。
【図２２】図２２は、メディアドライブ装置のケースが拡大した状態で、フロントパネルの上部に設けられた、ロック機構の機能を備えたストッパーにより、上ケースの移動が規制されたメディアドライブ装置の状態を示す斜視図である。
【図２３】図２３は、本技術の第４の実施形態に係るメディアドライブ装置を示す斜視図であり、トレイがケースから引き出された状態を示す図である。
【図２４】図２４は、このメディアドライブ装置の分解斜視図である。
【図２５】図２５Ａは、下ケースの内側を見せる平面図である。図２５Ｂは、図２５ＡにおけるＢ−Ｂ線断面図である。図２５Ｃは、図２５Ｂにおいて破線部分を拡大して示す図である。
【図２６】図２６Ａは、上ケースの外側を見せる平面図である。図２６Ｂは、図２６ＡにおけるＣ−Ｃ線断面図である。図２６Ｃは、図２６Ｂにおいて破線部分を拡大して示す図である。
【図２７】図２７Ａ〜Ｅは、ケースが縮小状態ある（上ケースが縮小位置にある）メディアドライブ装置を様々な方向から見た図である。
【図２８】図２８Ａ〜Ｅは、上ケースの移動途中の状態を示す、メディアドライブ装置を様々な方向から見た図である。
【図２９】図２９Ａ〜Ｅ、ケースが拡大状態にある（上ケースが拡大位置にある）メディアドライブ装置を様々な方向から見た図である。
【図３０】図３０Ａ〜Ｅは、図２９Ａ〜Ｅにおいて、外部機器を接続するためのケーブルがメディアドライブ装置に接続された状態を示す図である。
【発明を実施するための形態】
【００１８】
以下、図面を参照しながら、本技術に係る実施形態を説明する。
【００１９】
[第１の実施形態]
（メディアドライブ装置の構成）
【００２０】
図１は、本技術の一実施形態に係るメディアドライブ装置を示す斜視図であり、そのメディアドライブ装置の前面側から見た図である。図２は、このメディアドライブ装置の背面側から見た斜視図である。図３は、このメディアドライブ装置の分解斜視図である。
【００２１】
メディアドライブ装置１００は、ケース１０と、このケース１０内に収容されたディスクドライブユニット５０とを備える。また、ケース１０内には、図示しないが、固体メモリとして半導体メモリを搭載した半導体メモリドライブユニット７０が収容されている。半導体メモリとしては、典型的にはフラッシュメモリが用いられる。半導体メモリドライブユニット７０のケース１０内の配置はどこでもよく、例えばドライブユニットの下面側（Ｚ軸方向で下側）に配置されていればよい。
【００２２】
ディスクドライブユニット５０は、ディスクメディアとして、ＤＶＤ、ブルーレイディスク等の光ディスクＤに情報を記録すること、及び、その情報を再生することのうち、少なくとも一方を行う装置である。ディスクドライブユニット５０は、図３に示すように、ドライブ本体５１と、光ディスクＤを載置させるトレイ５５と、このトレイ５５に配置された、光ピックアップ６１を含むユニット６０とを有する。トレイ５５の中央には、光ディスクＤを保持して回転させるターンテーブル５３が設けられている。
【００２３】
図１に示すように、トレイ５５は、ドライブ本体５１に設けられた図示しないローディング機構によって、このドライブ本体５１からＹ軸方向（負方向）に沿って引き出され、また、このドライブ本体５１に挿入される。トレイ５５の端部にはフロントパネル５７が設けられている。フロントパネル５７にはイジェクトボタン４９が設けられている。なお、図１は、光ディスクＤがターンテーブル５３に機械的に保持されている状態を示している。
【００２４】
図１〜３に示すように、ケース１０は、本体１１と、この本体１１にスライド可能に接続された可動体１２とを有する。可動体１２は、光ディスクＤの情報の記録面Ｄａに平行な方向（Ｘ軸方向）に沿ってケース１０が伸縮するようにスライド可能となっている。
【００２５】
図４Ａ〜Ｃは、可動体１２が本体１１から引き出されてケース１０が拡大された状態をそれぞれ示す、メディアドライブ装置１００の背面図、平面図及び前面図である。この時の可動体１２の、本体１１に対する位置を拡大位置という。図５Ａ〜Ｃは、可動体１２が本体１１に収容されてケース１０が縮小された状態をそれぞれ示す、メディアドライブ装置１００の背面図、平面図及び前面図である。この時の可動体１２の、本体１１に対する位置を縮小位置という。
【００２６】
図１〜５に示すように、ケース１０の可動体１２は、ユーザにより把持される側部１２ａと、この側部１２ａに接続され、ケース１０内から出没するように設けられた摺動部１２ｂとを有する。図１等に示すように、この側部１２ａに設けられた当接面１２ｃと、本体１１の側面１１ａとが当接することによりケース１０が縮小状態になる。可動体１２及び本体１１に、図示しない突起及びその突起がスライドするようにガイドするガイド溝等が形成されることにより、可動体１２が本体１１から引き出されて拡大位置でその引き出しが規制される。
【００２７】
このように、本技術では、ケース１０のサイズを変える可動体１２が本体１１に接続されているので、メディアドライブ装置１００の小型化を実現できる。これにより、特にメディアドライブ装置１００の携帯性を向上させることができる。
【００２８】
トレイ５５のフロントパネル５７の端部には、ロック機構３０が設けられている。このロック機構３０は、拡大位置にある可動体１２の動きをロックする。つまり、このロック機構３０は、拡大位置にある可動体１２が縮小位置へ移動することを規制するものである。ロック機構３０は、典型的には以下のような構造を有する。
【００２９】
例えば図７に示すように、フロントパネル５７にはヒンジ部５２が設けられ、このヒンジ部５２にストッパー５９が接続されている。ヒンジ部５２には、図示しないねじりコイルバネ等が取り付けられ、ストッパー５９は図７の状態から図６の状態になる回転方向に（開く方向に）付勢されるように、弾性的に設けられている。
【００３０】
ストッパー５９の背面側にはフック部５９ａが形成されている。ストッパー５９が図７に示した状態にある時（ストッパー５９が閉じた状態にある時）に、フック部５９ａがトレイ５５のエッジ部５５ａに係合するようになっている。ユーザが手でこのフック部５９ａによるエッジ部５５ａへの係合を解除すると、上記ねじりコイルバネの弾性力により、ストッパー５９が開き、図６に示した状態となる。
【００３１】
図１及び６に示すように、トレイ５５の載置部５６のＸ軸方向の幅は、光ディスクＤの直径より小さく形成されている。図３に示すように、ディスクドライブユニット５０の全体のＸ軸方向の幅も、その載置部５６の幅に応じて小さく形成されている。すなわち、ディスクドライブユニット５０をＺ軸方向で見て、ターンテーブル５３が、ディスクドライブユニット５０の中心位置からずれて配置されている。ケース１０の本体１１のＸ軸方向の幅も、そのディスクドライブユニット５０のＸ軸方向の幅に応じて、そのディスクドライブユニット５０を収容できるようなサイズに形成されている。
【００３２】
図１に示すように、ケース１０の前面側には開口１０ａが形成されており、ケース１０が拡大された状態において、トレイ５５がケース１０に収容された時には、図４Ｃに示すように、ストッパー５９を含むフロントパネル５７の全体によってケース１０の前面側の開口１０ａが塞がれる。
【００３３】
（メディアドライブ装置の動作）
【００３４】
次に、ユーザがこのメディアドライブ装置１００を、特に光ディスクドライブ装置として使用するときの動作について説明する。
【００３５】
例えば、ケース１０が拡大された状態において、ユーザがイジェクトボタン４９をユーザが押すと、図６に示すようにトレイ５５がケース１０から引き出される。ユーザは、図１に示すように光ディスクＤをターンテーブル５３にセットし、トレイ５５を押してケース１０内に収容する。図４に示す状態では、ロック機構３０によるロックがされており、すなわち、ストッパー５９が開いた状態にあるので、ケース１０の可動体１２は、そのストッパー５９に当接することで、縮小位置へ向かう動きが規制される。
【００３６】
このように、ケース１０内のディスクドライブユニット５０に光ディスクＤが保持されている時であっても、ストッパー５９の作用により可動体１２が光ディスクＤに衝突することを防ぐことができる。これにより、光ディスクＤの安全性、メディアドライブ装置１００の操作上の安全性を確保することができる。
【００３７】
そして、ユーザは、このメディアドライブ装置に接続された図示しないホスト機器（典型的にはＰＣ（Personal Computer））側が持つ記録／再生のアプリケーションを用いて、その光ディスクＤに情報を記録したり、その情報を再生したりする。
【００３８】
一方、メディアドライブ装置１００を持ち運ぶ際は、図８に示すように、ユーザはストッパー５９を内側へ折りたたむ。この時、光ディスクＤがトレイ５５に残っていると、ストッパー５９が光ディスクＤのエッジに当接して、ストッパー５９は閉じない。光ディスクＤがトレイ５５に載置されていなければ、ユーザはストッパー５９を折りたたむことができる。ストッパー５９が折りたたまれると、ストッパー５９のフック部５９ａがトレイ５５のエッジ部に引っかかり、ストッパー５９は閉じる。これにより、ストッパー５９による可動体１２の移動の規制が解除される。すなわち、それまでストッパー５９により移動が規制されていた可動体１２が縮小位置への移動が可能となる。そして図９に示すように、ユーザは可動体１２を縮小位置への方向にスライドさせることにより、ケース１０が縮小する。
【００３９】
このように、ストッパー５９は、ケース１０の前面に設けられた開口１０ａが、第１の開口面積及びこれより大きい第２の開口面積となる両方の状態でフロントパネル５７が開口１０ａを塞ぐように、ストッパー５９は開閉可能となっている。第１の開口面積とは、図６で示した状態におけるケース１０の前面の開口１０ａの面積である。第２の開口面積とは、図９に示した状態からトレイ５５が引き出された状態における、ケース１０の前面の開口１０ａの面積である。
【００４０】
一方、図９に示した状態から、ユーザがメディアドライブ装置１００を光ディスクドライブ装置として使用する場合には、次のように操作される。ユーザは、図９に示した状態から、ケース１０の可動体１２をスライドさせてケース１０を拡大させ（図８参照）、イジェクトボタン４９を押すと、図７に示すようにトレイ５５が引き出される。ユーザは、トレイ５５に係合された、ストッパー５９に設けられたフック部５９ａの係合を指で外すことにより、閉じられていたストッパー５９が開く（図６参照）。これにより、光ディスクＤをトレイ５５にセットし得る状態となる。
【００４１】
（メディアドライブ装置の電気的構成）
【００４２】
図１０は、このメディアドライブ装置１００の電気的な構成を示すブロック回路の図である。
【００４３】
この回路は、バス電源供給端子４２及びこれとは異なる電源供給方式を採用した交流電源供給端子４３を有する。交流電源供給端子４３は、典型的には一般家庭用の商用電源の供給端子である。また、この回路は、ＵＳＢコントローラ（ＵＳＢ ＨＵＢ）４４、電源レギュレーター回路４５、電圧検出回路４６、電源遮断回路４７、ディスクドライブユニット５０及び半導体メモリドライブユニット７０を有する。バス電源供給端子４２と電源レギュレーター回路４５等との間にはダイオードＤ１が接続されている。また、交流電源供給端子４３と電源レギュレーター回路４５との間にはダイオードＤ２が接続されている。
【００４４】
ダイオードＤ１及びＤ２があることにより、それら２つの電源の供給のうちどちらが先に行われてもよく、また、電流の逆流を防止できる。特に、ダイオードＤ２があることにより、バス電源供給端子４２からの５Vの電源がディスクドライブユニット５０へ供給されない。
【００４５】
なお、ＵＳＢコントローラ４４、電源レギュレーター回路４５、電圧検出回路４６及び電源遮断回路４７は、集積回路として構成されている。
【００４６】
図２に示すように、ケース１０の本体１１の背面側には、外部接続用端子として２つの電源供給用端子が設けられている。それらは、上述した交流電源供給端子４３及びバス電源供給端子４２である。バス電源供給端子４２は、ＵＳＢ（Universal Serial Bus）端子である。これら交流電源供給端子４３は、ディスクドライブユニット５０及び半導体メモリドライブユニット７０の両方に電気的に接続されている。バス電源供給端子４２は、半導体メモリドライブユニット７０に接続されている。
【００４７】
ケース１０の本体１１の背面には、これらの交流電源供給端子４３及びバス電源供給端子４２の配置にそれぞれ対応した穴１１ｃ及び１１ｂがそれぞれ形成されている。これらは、穴形状に限られず、その本体１１の背面のエッジ部から延びる切り欠きであってもよい。
【００４８】
図１１Ａ及びＢは、バス電源供給端子４２にＵＳＢケーブル３５が接続された状態のメディアドライブ装置１００を示す、平面図及び背面図である。図１２Ａ及びＢは、バス電源供給端子４２及び交流電源供給端子４３にＵＳＢケーブル３５及び交流電源アダプタ（のケーブル）３６がそれぞれ接続された状態のメディアドライブ装置１００を示す、平面図及び背面図である。
【００４９】
可動体１２は、可動体１２が縮小位置にある時（図１１参照）に交流電源供給端子４３を覆い、かつ、可動体１２が拡大位置にある時（図１２参照）に交流電源供給端子４３を露出させる、カバー部として構成される背面部１５を有する。この背面部１５は、図２及び３も参照すると理解しやすい。
【００５０】
ここで、図２、１１等に示すように、その可動体１２の背面部１５（図３も参照）のＸ方向の長さをａとする。図１１に示すように、ケース１０の本体１１のエッジ部から、Ｘ方向において、バス電源供給端子４２が配置される位置までの距離をｂとする。また、本体１１のエッジ部から、Ｘ方向において、交流電源供給端子４３が配置される位置までの距離をｃとする。そうすると、ここではｂ＞ａ＞ｃの関係が成立する。
【００５１】
このようなｂ＞ａ＞ｃの関係から、上述したように可動体１２の位置に応じて、背面部１５が交流電源供給端子４３を覆ったり、露出させたりする。一方、ｂ＞ａ＞ｃの関係から、可動体１２が縮小位置及び拡大位置にある時の両方で、バス電源供給端子４２が露出している。
【００５２】
このように、ケース１０が縮小状態にある時、交流電源供給端子４３を介しての電源供給が不可となる。すなわち、ユーザはケース１０を拡大させ、交流電源アダプタ３６をその交流電源供給端子４３に接続して初めてディスクドライブユニット５０を使用可能状態にすることができる。
【００５３】
一方、ユーザが、半導体メモリドライブユニット７０を使用する時は、図１１に示すように、ケース１０を縮小状態とし、バス電源の供給によりそれを使用することができる。これにより、半導体メモリドライブユニット７０を省スペースで使用することができる。
【００５４】
なお、もちろんユーザは、ケース１０を拡大状態とし、かつ、交流電源供給端子４３を介しての電源供給の状態にあっても、半導体メモリドライブユニット７０を使用することができる。
【００５５】
交流電源供給端子４３を使用しない時は、それが可動体１２の背面部１５で覆われるので、交流電源供給端子４３に塵埃が付着したり、その交流電源供給端子４３に静電気が発生したりすることを抑制することができる。
【００５６】
次に、図１０に示した回路の動作について説明する。ＵＳＢケーブル３５がバス電源供給端子４２に接続されると、ダイオードＤ１及び電圧レギュレーター回路を介して、ＵＳＢコントローラ４４へ電源が供給される。そうすると、ＵＳＢコントローラ４４は、図示しないＵＳＢホスト機器（典型的にはＰＣ）と通信し、このメディアドライブ装置１００がバス電源で駆動する装置であることを通知する。この時、半導体メモリドライブユニット７０及びディスクドライブユニット５０へ電源が供給されていないため、コンフィギュレーション前のＵＳＢ規格である１００mA未満を満足される。
【００５７】
コンフィギュレーションに成功すると、メディアドライブ装置１００がバス電源で駆動する装置としてＵＳＢホスト機器に認識される。これにより、ＵＳＢコントローラ４４は、電源遮断回路４７をONとし、半導体メモリドライブユニット７０へ電源を供給する。その結果、半導体メモリドライブユニット７０は、ＵＳＢコントローラ４４を介してＵＳＢホスト機器と通信できるようになる。この時の消費電流は、ＵＳＢコントローラ４４及び半導体メモリドライブユニット７０の分のものとなり、バス電源の装置の消費電流規格５００mAを満足することができる。ディスクドライブユニット５０へ電源を供給してしまうと、その電流規格を超えてしまう。
【００５８】
交流電源供給端子４３へ交流電源アダプタ３６が接続されると、ディスクドライブユニット５０に電源が供給される。そうすると、ディスクドライブユニット５０は、ＵＳＢ信号３及びＵＳＢコントローラ４４を介して、ＵＳＢホスト機器と通信可能となる。
【００５９】
[第２の実施形態]
これ以降の説明では、図１等に示した実施形態に係るメディアドライブ装置が含む部材や機能等について同様のものは説明を簡略化または省略し、異なる点を中心に説明する。
【００６０】
図１３は、本技術の第２の実施形態に係るメディアドライブ装置を示す平面図である。図１４は、図１３におけるＡ−Ａ線断面図である。
【００６１】
このメディアドライブ装置２００のケース２１０は、本体２１１と、この本体２１１にスライド可能に接続された可動体２１２とを有する。可動体２１２は、ストッパー５９に係合する係合部として、突起部２１３を有する。突起部２１３は、例えば、可動体２１２の上板２１２ａの裏面側（内側）に設けられている。
【００６２】
可動体２１２が縮小位置から拡大位置へ向けてスライドすると、図１５及び１６に示すように、そのスライド途中で、突起部２１３がストッパー５９に係合する。この状態から、可動体２１２がさらに拡大位置へ向けてスライドすると、突起部２１３がストッパー５９を押し、ストッパー５９のフック部５９ａがトレイ５５（図１等参照）から外れる。フック部５９ａがトレイ５５から外れることにより、図１７に示すように、上述したストッパー５９のヒンジ部５２の弾性力によりストッパー５９がケース２１０の前面の開口１０ａを塞ぐように回転する。つまりストッパー５９が開状態となる。
【００６３】
このように、ユーザがケース１０を拡大状態にする操作時において、可動体１２にストッパー５９が連動するので、ストッパー５９を簡単にセットすることができる。
【００６４】
[第３の実施形態]
図１８は、本技術の第３の実施形態に係るメディアドライブ装置を示す斜視図である。図１９は、背面側から見たメディアドライブ装置の斜視図である。図２０及び２１は、このメディアドライブ装置のケース３１０が拡大した状態を示す、前面側から見た斜視図及び背面側から見た斜視図である。
【００６５】
このメディアドライブ装置３００も、上述のようなディスクドライブユニット５０及び半導体メモリドライブユニット７０の両方を備えている。
【００６６】
メディアドライブ装置３００のケース３１０の可動体である上ケース３１２が、本体である下ケース３１１に対し、垂直方向（ディスクドライブユニット５０に保持された光ディスクの情報の記録面に垂直な方向）にスライド可能に構成されている。図２１に示すように、上ケース３１２が拡大位置にある時に、バス電源供給端子４２及び交流電源供給端子４３が露出するようになっている。あるいは、上ケース３１２の背面３１２ａの、バス電源供給端子４２の配置に対応する位置に、切り欠き（または穴）３１２ｂが形成されていてもよい。このようにすれば、上ケース３１２が縮小位置にある時でも、バス電源供給端子４２をその切り欠き（または穴）によって露出させることができる。
【００６７】
図２２は、メディアドライブ装置３００のケース３１０が拡大した状態で、フロントパネル３５７の上部に設けられた、ロック機構３０の機能を備えたストッパー３５９により、上ケース３１２の縮小位置への移動が規制されたメディアドライブ装置３００の状態を示す斜視図である。ストッパー３５９は、図２２に示すように開いた状態で、フロントパネルの一部を構成する。図２０では、ケース３１０は、ストッパー３５９がケース３１０内に折りたたまれ、上ケース３１２の縮小位置への移動が可能な状態にある。
【００６８】
このような構成により、ケース３１０が縮小状態にある時は、可能な限りケース３１０のＺ軸方向の厚さを薄くすることができる。ユーザがディスクドライブユニット５０を使用するときは、光ディスクと上ケース３１２との接触を避けるため、図２０〜２２に示したように、ユーザはケース３１０を拡大させればよい。このようにケース３１０を拡大させることにより、例えばケース３１０から外力が加えられることによりケース３１０が変形したとしても、光ディスクが安全に駆動されるケース３１０の内部空間を確保することができる。
【００６９】
また、ストッパー３５９が設けられていることにより、ケース３１０内のドライブユニットに光ディスクＤが保持されている時であっても、ストッパー３５９の作用により上ケース３１２が光ディスクに衝突することを防ぐことができる。これにより、光ディスクの安全性、メディアドライブ装置３００の操作上の安全性を確保することができる。
【００７０】
この実施形態では、図２０に示すように、ユーザが上ケース３１２を拡大位置に移動させた時、その上ケース３１２の動きに連動してストッパー３５９がロック位置（図２２に示す状態）に移動するような機構が設けられていればよい。その機構は、上述した第２の実施形態のように、例えば上ケース３１２に係合部（例えば突起部）が設けられることにより実現することができる。
【００７１】
[第４の実施形態]
（メディアドライブ装置の構成）
【００７２】
図２３は、本技術の第４の実施形態に係るメディアドライブ装置を示す斜視図であり、トレイ５５がケースから引き出された状態を示す図である。図２４は、このメディアドライブ装置４００の分解斜視図である。
【００７３】
図２４に示すように、メディアドライブ装置４００は、ケース４１０と、このケース４１０内に収容されたディスクドライブユニット５０とを備える。ケース４１０は、本体である下ケース４１１と、これに接続された可動体である上ケース４１２とを有する。なお、このメディアドライブ装置４００は、上記実施形態と同様に、ディスクドライブユニット５０のほか、図示しない半導体メモリドライブユニットも備えている。
【００７４】
図２５Ａは、下ケース４１１の内側を見せる平面図である。図２５Ｂは、この下ケース４１１の側面図である。図２５Ｃは、図２５Ｂにおいて一点鎖線で囲まれた部分を拡大して示す図である。図２６Ａは、上ケース４１２の外側を見せる平面図である。図２６Ｂは、この上ケース４１２の側面図である。図２６Ｃは、図２６Ｂにおいて一点鎖線で囲まれた部分を拡大して示す図である。
【００７５】
上ケース４１２の両側面４１２ｂの前方部には、支点軸４３２がそれぞれ設けられている。支点軸４３２は、図２４を参照すると理解しやすい。下ケース４１１の両側面の前方部には、それら支点軸４３２が係合する長穴４２４がそれぞれ設けられている。また、図２５に示すように、下ケース４１１の両側面４１１ｂの中央部よりやや後方にはカム溝４２１がそれぞれ設けられている。図２６に示すように、上ケース４１２の両側面４１２ｂには、そのカム溝４２１に係合する突起４３３が設けられている。
【００７６】
さらに、図２５Ｃに示すように、下ケース４１１の背面部４１１ａのエッジ部からその両側面４１１ｂの後方端部までにかけて傾斜溝４２５が形成されている。この傾斜溝４２５は、下方に落ち込むような谷形状に形成されている。また、図２６Ｃに示すように、上ケース４１２の背面部４１２ａのエッジ部からその両側面４１２ｂの後方端部までにかけて、ケース４１０の拡大状態において、その傾斜溝４２５に当接する当接部４３５が形成されている。
【００７７】
（メディアドライブ装置の動作）
【００７８】
図２７Ａ〜Ｅは、ケース４１０が縮小状態にある（上ケース４１２が縮小位置にある）メディアドライブ装置４００を様々な方向から見た図である。図２７Ａは前面側からの斜視図、Ｂは背面側から斜視図、Ｃは背面図、Ｄは側面から見た一部断面図、Ｅはその反対側の側面から見た図である。図２９Ａ〜Ｅ、図３０Ａ〜Ｅは、ケース４１０が拡大状態にある（上ケース４１２が拡大位置にある）メディアドライブ装置４００を様々な方向から見た図である。図２８Ａ〜Ｅは、上ケース４１２の移動途中の状態を示す、メディアドライブ装置４００を様々な方向から見た図である。図２８Ａ〜Ｅ、図２９Ａ〜Ｅ、図３０Ａ〜Ｅは、図２７Ａ〜Ｅの視点からの図にそれぞれ対応する図である。
【００７９】
ユーザは、図２７に示したメディアドライブ装置４００の状態から、支点軸４３２を中心として上ケース４１２を回転させる。すなわち、一軸であるＸ軸を中心に上ケース４１２を回転させる。そうすると、上ケース４１２の突起４３３がカム溝４２１の垂直部４２２に沿って動く。この回転時、上ケース４１２の背面部４１２ａの内面と、下ケース４１１の背面部４１１ａの外面とが接触している。
【００８０】
さらに上ケース４１２が支点軸４３２を中心に回転させられると、上ケース４１２の背面部４１２ａの内面と、下ケース４１１の背面部４１１ａの外面とが接触しなくなり、上ケース４１２の動作の自由度が増す。この時点で、ユーザが上ケース４１２の回転動作を停止すると、そのまま上ケース４１２の背面部４１２ａが自重により落下し、図２７に示した状態に戻ってしまう。
【００８１】
しかし、図２８に示した状態から、ユーザがさらに上ケース４１２を回転させると、図２９に示すように、上ケース４１２の突起４３３がカム溝４２１の非垂直部４２３に沿って移動するようになる。すなわち、上ケース４１２が前方側にスライドするように移動する。そうすると、上ケース４１２の当接部４３５が傾斜溝４２５に乗り上げて、当接部４３５が傾斜溝４２５に嵌合するように当接する。これにより上ケース４１２が拡大位置に配置される。当接部４３５の傾斜溝４２５への乗り上げによって、上ケース４１２の縮小位置への移動が規制される。すなわち、上ケース４１２の当接部４３５及び下ケース４１１の傾斜溝４２５がロック機構を構成する。このように、突起４３３がカム溝４２１に沿って移動することにより、上ケース４１２の動作は、回転動作からスライド動作に変わり、ロック機構により上ケース４１２の移動が規制される。このようにしてケース４１０が拡大し、光ディスクＤが安全に駆動されるケース４１０の内部空間を確保することができる。
【００８２】
傾斜溝４２５の傾斜により上ケース４１２が安定状態になることにより、多少の外力が上ケース４１２に加えられたとしても、上ケース４１２は縮小位置に戻らない。また、そのように外力が上ケース４１２に加えられ、上ケース４１２が変形したとしても、上記のように、安全に駆動され得るケース４１０の内部空間を確保することができる。
【００８３】
ケース４１０が拡大状態にある時、図３０に示すように、両端子にＵＳＢケーブル３５及び交流電源アダプタ３６を接続することが可能となる。
【００８４】
なお、図２７では、外部接続用端子（バス電源供給端子４２及び交流電源供給端子４３）は、上ケース４１２の背面部４１２ａによって塞がれている。この場合、図２１についても説明したように、上ケース４１２の背面部４１２ａの、バス電源供給端子４２の配置に対応する位置に、切り欠き（または穴）が形成されていてもよい。このようにすれば、上ケース４１２が縮小位置にある時でも、バス電源供給端子４２をその切り欠き（または穴）によって露出させることができる。
【００８５】
[その他の実施形態]
本技術に係る実施形態は、以上説明した実施形態に限定されず、他の種々の実施形態が実現される。
【００８６】
上記実施形態のストッパー５９のヒンジ部５２には弾性力が付与されていなくてもよい。例えばストッパー５９が開いた位置で固定されるように、ストッパー５９に係合等の機構が設けられていてもよい。
【００８７】
上記のようなケースの拡大及び縮小するための構造が、例えば、径の異なる光ディスク（例えば１２cmと８cm）を駆動するディスクドライブのケースに適用されてもよい。つまり、小さいサイズの光ディスクを駆動する時、ケースを縮小状態とし、大きいサイズの光ディスクを駆動する時、ケースを拡大状態とすることができる。
【００８８】
図１１等に示したように、ケース１０の各部のサイズについてｂ＞ａ＞ｃの関係があった。しかし、このような構成に限られず、例えば背面部１５の長さａが図１１Ｂに示したｂより長く形成されている場合に、可動体１２の背面部１５にＸ軸方向に長い長穴が設けられていてもよい。その場合、その長穴は、可動体１２の縮小位置及び拡大位置の両方で、バス電源供給端子４２を露出させるような位置に形成されていればよい。また、可動体１２の拡大位置でその長穴により交流電源供給端子４３が露出されるような位置に、その長穴が形成されていてもよい。
【００８９】
上記各実施形態に係るメディアドライブ装置は、外部接続端子として、バス電源供給端子４２及び交流電源供給端子４３の両方を備えていたが、交流電源供給端子４３を備えず、バス電源供給端子４２のみを備えていてもよい。
【００９０】
図２８の状態から、上ケース４１２を前方側へ移動する方向へ付勢する弾性体が、ケース４１０に設けられていてもよい。
【００９１】
なお、本技術は以下のような構成も取ることができる。
【００９２】
（１）ディスクメディアを駆動するドライブユニットと、
本体と、ケースが拡大された状態における拡大位置及び縮小された状態における縮小位置の間で移動可能に前記本体に接続された可動体とを有し、前記ドライブユニットを収容するケースと、
前記拡大位置にある前記可動体の動きをロックするロック機構と
を具備するメディアドライブ装置。
（２）前記（１）に記載のメディアドライブ装置であって、
前記ケースは、前記可動体が前記縮小位置にある時に第１の開口面積となり、前記可動体が前記拡大位置にある時に第１の開口面積より大きい第２の開口面積となる開口を有し、
前記ドライブユニットは、前記ディスクメディアが載置され、前記ケースの開口を介して、前記ケースから引き出され及び前記ケースに挿入されることが可能に設けられたトレイを有し、
前記トレイは、前記ケースに挿入された時に前記ケースの前記開口を塞ぐパネルを有し、
前記ロック機構は、前記パネルの一部を構成する、前記可動体の前記縮小位置への移動を規制するストッパーを有し、前記開口が前記第１及び第２の開口面積となる両方の状態で前記パネルが前記開口を塞ぐように、前記ストッパーが開閉可能に前記トレイに支持されている
メディアドライブ装置。
（３）前記（２）に記載のメディアドライブ装置であって、
前記ストッパーは、前記可動体が前記縮小位置から前記拡大位置へ移動する動作に連動して閉動作を行う
メディアドライブ装置。
（４）前記（３）に記載のメディアドライブ装置であって、
前記ロック機構は、前記ストッパーに形成され前記トレイに係合するフック部と、前記開口を閉じる方向へ弾性的に前記ストッパーを付勢するヒンジ部とを有し、
前記ケースの前記可動体は、前記ストッパーに係合する係合部を有する
メディアドライブ装置。
（５）前記（１）から（４）のうちいずれか１つに記載のメディアドライブ装置であって、
前記ドライブユニットは、外部接続用端子を有し、
前記ケースの前記可動体は、前記可動体が前記縮小位置にある時に前記外部接続用端子を覆い、かつ、前記可動体が前記拡大位置にある時に前記外部接続用端子を露出させるカバー部を有する
メディアドライブ装置。
（６）前記（１）から（５）のうちいずれか１つに記載のメディアドライブ装置であって、
前記可動体は、前記ドライブユニットに保持された前記ディスクメディアの情報の記録面に平行な方向にスライド可能に、前記本体に接続されている
メディアドライブ装置。
（７）前記（１）から（５）のうちいずれか１つに記載のメディアドライブ装置であって、
前記可動体は、前記ドライブユニットに保持された前記ディスクメディアの情報の記録面に垂直な方向にスライド可能に、前記本体に接続されている
メディアドライブ装置。
（８）前記（１）から（５）のうちいずれか１つに記載のメディアドライブ装置であって、
前記可動体は、一軸を中心に回転可能に前記本体に接続されている
メディアドライブ装置。
（９）前記（１）から（８）のうちいずれか１つに記載のメディアドライブ装置であって、
前記ケース内に収容され、前記ディスクメディアとは異なる記憶メディアである固体メモリを搭載した固体メモリドライブユニットをさらに具備するメディアドライブ装置。
【符号の説明】
【００９３】
Ｄ…光ディスク
１０、２１０、３１０、４１０…ケース
１１、２１１…本体
１２、２１２…可動体
３０…ロック機構
４２…バス電源供給端子
４３…交流電源供給端子
５０…ディスクドライブユニット
５２…ヒンジ部
５７、３５７、４５７…フロントパネル
５９、３５９…ストッパー
５９ａ…フック部
７０…半導体メモリドライブユニット
１００、２００、３００、４００…メディアドライブ装置
２１２…可動体
２１２ａ…上板
２１３…突起部
３１１、４１１…下ケース
３１２、４１２…上ケース
【図１】
2012164382.tif 000003
【図２】
2012164382.tif 000004
【図３】
2012164382.tif 000005
【図４】
2012164382.tif 000006
【図５】
2012164382.tif 000007
【図６】
2012164382.tif 000008
【図７】
2012164382.tif 000009
【図８】
2012164382.tif 000010
【図９】
2012164382.tif 000011
【図１０】
2012164382.tif 000012
【図１１】
2012164382.tif 000013
【図１２】
2012164382.tif 000014
【図１３】
2012164382.tif 000015
【図１４】
2012164382.tif 000016
【図１５】
2012164382.tif 000017
【図１６】
2012164382.tif 000018
【図１７】
2012164382.tif 000019
【図１８】
2012164382.tif 000020
【図１９】
2012164382.tif 000021
【図２０】
2012164382.tif 000022
【図２１】
2012164382.tif 000023
【図２２】
2012164382.tif 000024
【図２３】
2012164382.tif 000025
【図２４】
2012164382.tif 000026
【図２５】
2012164382.tif 000027
【図２６】
2012164382.tif 000028
【図２７】
2012164382.tif 000029
【図２８】
2012164382.tif 000030
【図２９】
2012164382.tif 000031
【図３０】
2012164382.tif 000032